【手続補正書】
【提出日】平成24年8月27日(2012.8.27)
【手続補正１】
【補正対象書類名】特許請求の範囲
【補正対象項目名】全文
【補正方法】変更
【補正の内容】
【特許請求の範囲】
【請求項１】
光源から発生した光を複数の波長帯域の光に分離する波長分離手段と、
前記複数の波長帯域の光それぞれを変調する複数の空間光変調手段と、
前記複数の空間光変調手段で変調された光を合成する波長合成手段と、
前記波長合成手段で合成された光を被検査物に照射する照射手段と、
を有することを特徴とする補償光学装置。
【請求項２】
前記複数の空間光変調手段が、
前記複数の波長帯域の光のうち第１の光を変調する第１の空間光変調手段と、 前記第１の空間光変調手段に対して光学的に並列に配置され、前記複数の波長帯域の光のうち前記第１の光の波長帯域とは異なる第２の光を変調する第２の空間光変調手段と、
を有することを特徴とする請求項１に記載の補償光学装置。
【請求項３】
前記被検査物の収差を前記複数の波長帯域の光ごとに測定する収差測定手段を有し、
前記複数の空間光変調手段が、前記収差測定手段の測定結果に基づいて、前記複数の波長帯域の光それぞれを変調することを特徴とする請求項１あるいは２に記載の補償光学装置。
【請求項４】
前記複数の空間光変調手段が、前記収差測定手段に対して光学的に共役な位置に設けられた反射型の液晶空間位相変調器であることを特徴とする請求項３に記載の補償光学装置。
【請求項５】
前記収差補正手段の測定結果に基づいて、前記複数の空間光変調手段の所定の波長毎に収差を算出する算出手段を有し、
前記複数の空間光変調手段が、前記算出手段の算出結果に基づいて、前記複数の波長帯域の光それぞれを変調することを特徴とする請求項３あるいは４に記載の補償光学装置。
【請求項６】
前記被検査物が、被検眼であり、
前記収差が、前記被検眼の前眼部で生じ、
前記複数の空間光変調手段が、前記前眼部に対して光学的に共役な位置に配置されることを特徴とする請求項３乃至５のいずれか１項に記載の補償光学装置。
【請求項７】
前記収差測定手段で前記収差を測定する際に用いる光と、前記被検査物の画像を取得する際に用いる光とが異なる光源から発生された光であることを特徴とする請求項３乃至６のいずれか１項に記載の補償光学装置。
【請求項８】
前記波長合成手段が、前記照射手段で照射した光の前記被検査物からの戻り光を複数の波長帯域の光に分離し、
前記複数の空間光変調手段が、前記複数の波長帯域の光それぞれを変調し、
前記波長分離手段が、前記光変調手段で変調された光を合成することを特徴とする請求項１乃至７のいずれか１項に記載の補償光学装置。
【請求項９】
請求項１乃至８のいずれか１項に記載の補償光学装置を備えた光画像撮像装置であって、
前記照射手段で照射した光の前記被検査物の戻り光に基づいて該被検査物の画像を取得する画像取得手段を有することを特徴とする光画像撮像装置。
【請求項１０】
前記光源からの光を前記第１の変更手段に入射される光と参照光とに分離する分離手段と、
前記画像取得手段が、前記照射手段で照射した光の前記被検査物からの戻り光と前記参照光とが干渉した干渉光に基づいて該被検査物の断層画像を取得することを特徴とする請求項９に記載の光画像撮像装置。
【請求項１１】
光源からの光を測定光とし、被検査物に照射された該測定光による戻り光の強度により前記被検査物の画像を撮像する光画像撮像装置であって、
前記光源から前記被検査物への光路において、
前記光路を第一の光路と第二の光路とに波長に基づいて分岐するための分岐手段と、
前記第一の光路上の前記測定光と前記戻り光との少なくともいずれかの収差の補正を行う第一の空間光変調手段と、
前記第二の光路上の前記測定光と前記戻り光との少なくともいずれかの収差の補正を行う第二の空間光変調手段と、
前記第一の光路と前記第二の光路とを結合する結合手段と
を有することを特徴とする光画像撮像装置。
【請求項１２】
前記第一の空間光変調手段と前記第二の空間光変調手段と前記収差測定手段とが、光学的に共役に配置され、
前記第一の分岐手段と前記第二の分岐手段とが共通の分岐手段で構成され、
前記第一の分岐手段と前記第二の分岐手段との少なくともいずれかが、ダイクロイックミラーとダイクロイックプリズムとのいずれかからなることを特徴とする請求項１１に記載の光画像撮像装置。
【請求項１３】
前記被検査物にて発生する収差を測定する収差測定手段を有し、
測定された収差に基づいて、前記測定光と前記戻り光との少なくともいずれかの収差の補正を行い、
前記収差測定光が前記被検査物に照射することにより発生した戻り光の収差を測定するように構成されることを特徴とする請求項１１あるいは１２に記載の光画像撮像装置。
【請求項１４】
前記第一の空間光変調手段と前記第二の空間光変調手段との所定の波長毎に、前記収差測定手段を用いて得た収差を算出する手段と、
前記所定の波長毎に算出された収差を用いて前記第一の空間光変調手段と前記第二の空間光変調手段における変調量を算出する算出手段と、
を有することを特徴とする請求項１３に記載の光画像撮像装置。
【請求項１５】
前記収差測定手段が、前記互いに異なる波長に分岐された波長毎の収差を測定する構成を備えることを特徴とする請求項１３あるいは１４に記載の光画像撮像装置。
【請求項１６】
前記光源からの光を前記測定光と参照光とに分割する分割手段と、
前記被検査物に照射された前記測定光による戻り光と、参照光路を経由した前記参照光とを干渉させる手段と、
干渉による干渉信号の強度を検出する手段と、
前記干渉信号に基づき前記被検査物の断層画像を生成する手段とを有することを特徴とする請求項１１乃至１５のいずれか１項に記載の光画像撮像装置。
【請求項１７】
被検査物で発生した収差を補正する、分岐された異なる波長の一方に対して最適化された第一の空間光変調手段および分岐された異なる波長の他方に対して最適化された第二の空間光変調手段と、前記被検査物にて発生する収差を測定する収差測定手段を備え、
光源からの光を測定光とし、前記被検査物に照射された測定光による戻り光により、前記被検査物の画像を撮像する光画像の撮像方法であって、
前記収差測定手段を用い、前記第一の空間光変調手段及び前記第二の空間光変調手段からの前記被検査物にて発生する収差を、前記分岐された異なる波長毎に測定する第１の工程と、
前記第一の空間光変調手段及び前記第二の空間光変調手段における最適化波長毎に算出された収差を用い、前記第一の空間光変調手段と前記第二の空間光変調手段における変調量を算出する第２の工程と、
前記算出された変調量に基づいて、前記第一の空間光変調手段と前記第二の空間光変調手段とにおける前記測定光と前記戻り光との少なくともいずれかを変調し、前記被検査物で発生した収差を補正する第３の工程と、
を有することを特徴とする光画像の撮像方法。
【手続補正２】
【補正対象書類名】明細書
【補正対象項目名】発明の名称
【補正方法】変更
【補正の内容】
【発明の名称】補償光学装置、光画像撮像装置および光画像の撮像方法
【手続補正３】
【補正対象書類名】明細書
【補正対象項目名】０００１
【補正方法】変更
【補正の内容】
【０００１】
本発明は、光画像撮像装置および光画像の撮像方法に関し、特に眼科診療等に用いられる補償光学装置、光画像撮像装置および光画像の撮像方法に関するものである。
【手続補正４】
【補正対象書類名】明細書
【補正対象項目名】０００６
【補正方法】変更
【補正の内容】
【０００６】
本発明は、上記課題に鑑み、空間位相変調手段を用いた補償光学系を有する光画像撮像装置において、空間光変調手段の波長依存性の影響を低減することが可能となる補償光学装置、光画像撮像装置および光画像の撮像方法の提供を目的とする。
【手続補正５】
【補正対象書類名】明細書
【補正対象項目名】０００７
【補正方法】変更
【補正の内容】
【０００７】
本発明は、つぎのように構成した補償光学装置、光画像撮像装置および光画像の撮像方法を提供するものである。
本発明の補償光学装置は、
光源から発生した光を複数の波長帯域の光に分離する波長分離手段と、
前記複数の波長帯域の光それぞれを変調する複数の空間光変調手段と、
前記複数の空間光変調手段で変調された光を合成する波長合成手段と、
前記波長合成手段で合成された光を被検査物に照射する照射手段と、
を有することを特徴とする。
また、本発明の光画像撮像装置は、
上記した補償光学装置を備えた光画像撮像装置であって、
前記照射手段で照射した光の前記被検査物の戻り光に基づいて該被検査物の画像を取得する画像取得手段を有することを特徴とする。
また、本発明の光画像撮像装置は、
光源からの光を測定光とし、被検査物に照射された該測定光による戻り光の強度により前記被検査物の画像を撮像する光画像撮像装置であって、
前記光源から前記被検査物への光路において、
前記光路を第一の光路と第二の光路とに波長に基づいて分岐するための分岐手段と、
前記第一の光路上の前記測定光と前記戻り光との少なくともいずれかの収差の補正を行う第一の空間光変調手段と、
前記第二の光路上の前記測定光と前記戻り光との少なくともいずれかの収差の補正を行う第二の空間光変調手段と、
前記第一の光路と前記第二の光路とを結合する結合手段と、
を有することを特徴とする。
また、本発明の光断層画像の撮像方法は、
被検査物で発生した収差を補正する、分岐された異なる波長の一方に対して最適化された第一の空間光変調手段および分岐された異なる波長の他方に対して最適化された第二の空間光変調手段と、前記被検査物にて発生する収差を測定する収差測定手段を備え、
光源からの光を測定光とし、前記被検査物に照射された測定光による戻り光により、前記被検査物の画像を撮像する光画像の撮像方法であって、
前記収差測定手段を用い、前記第一の空間光変調手段及び前記第二の空間光変調手段からの前記被検査物にて発生する収差を、前記分岐された異なる波長毎に測定する第１の工程と、
前記第一の空間光変調手段及び前記第二の空間光変調手段における最適化波長毎に算出された収差を用い、前記第一の空間光変調手段と前記第二の空間光変調手段における変調量を算出する第２の工程と、
前記算出された変調量に基づいて、前記第一の空間光変調手段と前記第二の空間光変調手段とにおける前記測定光と前記戻り光との少なくともいずれかを変調し、前記被検査物で発生した収差を補正する第３の工程と、
を有することを特徴とする。
【手続補正６】
【補正対象書類名】明細書
【補正対象項目名】０００８
【補正方法】変更
【補正の内容】
【０００８】
本発明によれば、空間位相変調手段を用いた補償光学系を有する光画像撮像装置において、空間光変調手段の波長依存性の影響を低減することが可能となる補償光学装置、光画像撮像装置および光画像の撮像方法を実現することができる。